(57)【特許請求の範囲】
【請求項１】
前端面を調理台の開き戸等の後面に当接又は近接させるとともに、下方に所要の空間部が形成されるようにして取付けられた底板の前端下部に、前記空間部の開口前部を閉塞するようにして、開き戸等よりもやや後方に設けられる蹴込板の構造であって、前記底板の前部下面に取付けられる、底板の左右長とほぼ等寸の水平取付片と、その前端に下向きに連設された、上下寸法が底板の下面から開き戸等の下端までの寸法とほぼ等寸をなす補助閉塞片と、前記水平取付片の後端部に下向きに連設され、上下寸法が底板下方の空間部の上下寸法とほぼ等しく、両側板の前面下部に設けられた切欠部に固定されるように側板側に延在した取付部を有する閉塞板とを備えることを特徴とする調理台下部の蹴込板構造。
【請求項２】
水平取付片における閉塞板よりも後方に、補助取付片を連設し、この補助取付片に、スペーサのコ字状の係止片を嵌合しうるようにした請求項１に記載の調理台下部の蹴込板構造。
【発明の詳細な説明】
【０００１】
【発明の属する技術分野】
本発明は、調理台における底板の前端下部に設けられる蹴込板構造に関する。
【０００２】
【従来の技術】
図５は、調理台の一例を示すもので、左右の側板１，１と背板２とにより囲まれた下部には、底板３が、その下方に所要の空間部が形成されるようにして取付けられている。
【０００３】
開き戸４及び引出し５の前面は、両側板１の前端面とほぼ同一面をなすとともに、底板３の前端面よりも前方に位置している。
【０００４】
底板３の下方に形成された空間部の開口前部は、図６にも示すように、両側板１の前端下部の逆Ｌ字形の切欠部１ａに両端部をねじ止めした蹴込板６により閉塞されている。
【０００５】
【発明が解決しようとする課題】
調理台は、その設置時において、シンクや食器洗浄機等の排水管の配管作業が必要となり、その作業のために、底板３の下方に空間部を設けてある。この配管作業を行う際に、床面や壁面の排水口の位置等に対応して、排水管の上下寸法を大としたり、特殊な配管形態を採らなければならないときがある。
【０００６】
この際には、図６の想像線で示すように、底板３の取付位置を高くして、その下方に大きな空間部を形成するとともに、上下寸法の大きな蹴込板６を使用して、大きくなった開口前部を閉塞する必要がある。
【０００７】
しかし、底板３を高くして、開口前部を単なる平板状の蹴込板６により閉塞したのみでは、開き戸４や引き出し５の下端面と底板３の前端面との間に段差が形成されるのが避けられない。
【０００８】
この段差が形成されると、図７に示すように、開き戸４の一方を開いた際、底板３の前端面と他方の開き戸４の下端面とが段違いとなって外観的体裁が損なわれるだけでなく、開き戸４の下端の角部に手足や衣服等を引掛ける恐れがある。
【０００９】
本発明は、上記問題点を解決するためになされたもので、底板を高くしても、その前端面と開き戸等の下端面との間に段差が形成されるのを防止し、外観的体裁を向上させうるようにした調理台下部の蹴込板構造を提供することを目的としている。
【００１０】
【課題を解決するための手段】
上記目的を達成するために、本発明の蹴込板構造は、前端面を調理台の開き戸等の後面に当接又は近接させるとともに、下方に所要の空間部が形成されるようにして取付けられた底板の前端下部に、前記空間部の開口前部を閉塞するようにして、開き戸等よりもやや後方に設けられる蹴込板の構造であって、前記底板の前部下面に取付けられる、底板の左右長とほぼ等寸の水平取付片と、その前端に下向きに連設された、上下寸法が底板の下面から開き戸等の下端までの寸法とほぼ等寸をなす補助閉塞片と、前記水平取付片の後端部に下向きに連設され、上下寸法が底板下方の空間部の上下寸法とほぼ等しく、両側板の前面下部に設けられた切欠部に固定されるように側板側に延在した取付部を有する閉塞板とを備えることを特徴としている。
【００１１】
上記水平取付片における閉塞板よりも後方に、補助取付片を連設し、この補助取付片に、スペーサのコ字状の係止片を嵌合しうるようにするのが好ましい。
【００１２】
本発明によると、底板を高くした際に形成される開き戸等の下端と底板の前端面との段差は、蹴込板を取付けた際、その補助閉塞板の前面が底板の前端面と整合することにより、解消される。
【００１３】
【発明の実施の形態】
以下、本発明の実施例を図面に基づいて説明する。なお、従来例と同一の部材には、同じ符号を付して、その詳細な説明を省略する。
【００１４】
図１は、調理台における前端下部（図６と同部位）の縦断側面図、図２は、同じく開き戸を省略した分解斜視図を示すもので、底板３は、開き戸４の下端面よりも上方に位置して取付けられ、その下方には大きな空間部が形成されている。
【００１５】
空間部に開口前部は、本発明の蹴込板７により閉塞されている。蹴込板７は、底板３の下面に取付可能な、底板３の左右長とほぼ等寸の水平取付片７ａと、その前端に下向きに連設された補助閉塞片７ｂと、水平取付片７ａの後方寄りに下向きとして連設された閉塞板７ｃとからなっている。
【００１６】
水平取付片７ａにおける閉塞板７ｃよりも後方に突出する部分は、後記するスペーサ取付用の補助取付片７ｄとなっている。
【００１７】
補助閉塞片７ｂの上下寸法は、開き戸４における底板３よりの突出寸法法、すなわち底板３の下面から、開き戸４の下端面までの寸法とほぼ等寸としてある。
【００１８】
閉塞板７ｃの上下寸法は、底板３の下方の空間部の上下寸法、すなわち底板３の下面から床面（図示略）までの寸法とほぼ等寸となっている。
【００１９】
補助閉塞片７ｂの前面と閉塞板７ｃの後面間の寸法は、両側板１の前端下部の切欠部１ａの前後寸法、すなわち底板３における切欠部１ａよりの前方への突出寸法とほぼ等しくしてある。
【００２０】
上記構造の蹴込板７を取付けるには、図２に示すように、閉塞板７ｃの側部に形成された取付部を側板１の切欠部１ａに押し当てるようにして、蹴込板７全体を底板３の下方に挿入し、水平取付片７ａを底板３の下面に当接させる。
【００２１】
この状態において、閉塞板７ｃの両側端部を、木ねじ８等により切欠部１ａに固定するとともに、取付片７ａの複数個所を、木ねじ８により底板３の下面に固定する。すると蹴込板７は、両側板１と底板３とにより安定的に支持され、底板３下方の空間部の開口前部が閉塞される。
【００２２】
蹴込板７を取付けた状態では、補助閉塞片７ｂの前面と底板３の前端面とは同一面に整合し、かつ補助閉塞板片７ｂと開き戸４との下端同士も整合する。
【００２３】
その結果、図３に示すように、開き戸４や引出し５の下端と底板３の前端面との間に段差が形成されることはなく、一方の開き戸４を開いても、他方の開き戸４の下端面と底板３の前端面とが段違いとなり、外観的体裁が損なわれたり、開き戸４の下端の角部に手足や衣服等を引掛けたりするのが防止される。よって、段差が形成された場合において、開き戸や引出し５を底板３の高さ位置に合わせて取り替える必要がなくなる。
【００２４】
なお、補助閉塞片７ｂ及び閉塞板７ｃの上下寸法の異なる蹴込板７を複数用意しておき、これを選択して用いることにより、底板３の取付高さの調整範囲を拡大することができる。
【００２５】
図４は、本発明の他の実施例を示すもので、上述と同様の蹴込板７における水平取付片７ａの上面にスペーサ９を載置し、このスペーサ９を介して、蹴込板７の水平取付片７ａを底板３の下面に固定するようにしてある。
【００２６】
スペーサ９は、その後端部に連設されたコ字状の係止片９ａを、補助取付片７ｄに嵌合することにより、その前端面が補助閉塞片７ｂの前面と同一面をなすように位置決めされる。
【００２７】
このようなスペーサ９を用いても、上述と同様、開き戸４や引き出し５の下端と底板３の前端面との間に段差が形成されるのが防止される。
【００２８】
この実施例の利点は、厚さの異なるスペーサ９を複数用意しておけば、製造コストの高い方の蹴込板７を複数用意する必要がなく、コスト低減が図れるとともに、底板３の高さ調節が容易となることである。
【００２９】
【発明の効果】
本発明の蹴込板を用いると、補助閉塞片が、底板を高くした際に形成される底板の前端面と開き戸等の下端との間の段差を塞ぐので、開き戸等を開いた際の外観的体裁が向上するばかりか、開き戸等の下端の角部に、手足、衣服等を引掛ける恐れもなくなる。
【００３０】
また、底板の高さ位置調整に合わせて寸法の異なる開き戸等に取り替える必要がない。
【００３１】
請求項２の発明によると、スペーサの取付け及び位置決めが簡単で、かつスペーサを併用することにより、底板の高さの調整が容易となるとともに、厚さの異なるスペーサを複数用意すれば、蹴込板の数は最小限でよく、コスト低減が図れる。
【００３２】
【図面の簡単な説明】
【図１】本発明の実施例の蹴込板を取付けた状態を示す調理台前端部の縦断側面図である。
【図２】同じく、蹴込板の取付要領を示す要部の斜視図である。
【図３】同じく、蹴込板の取付後、開き戸を開いた状態の調理台の正面図である。
【図４】本発明の他の実施例を示す調理台前部の縦断側面図である。
【図５】従来の蹴込板を有する調理台の正面図である。
【図６】同じく、図５におけるＶ−Ｖ線に沿う要部の拡大縦断側面図である。
【図７】同じく、開き戸を開いた状態の調理台の要部の正面図である。
【符号の説明】
１            側板
２            背板
３            底板
４            開き戸
５            引出し
７            蹴込板
７ａ          水平取付片
７ｂ          補助閉塞片
７ｃ          閉塞板
７ｄ          補助取付片
８            木ねじ
９            スペーサ
９ａ          係止片
【図１】
0003928678.tif 000002
【図２】
0003928678.tif 000003
【図３】
0003928678.tif 000004
【図４】
0003928678.tif 000005
【図５】
0003928678.tif 000006
【図６】
0003928678.tif 000007
【図７】
0003928678.tif 000008